(57)【要約】【課題】アドレス設定の操作が容易で、安価であって、重複したアドレス設定の可能性が皆無なアドレス設定装置を提供する。【解決手段】Ｉ／Ｏ制御用通信ネットワークに接続される複数の端末装置２４の各々に対して、固有のアドレスを設定するアドレス設定装置であって、端末装置２４に設けられている複数のアドレス端子の各々に電気的接続される複数のアドレス設定接点４２ａ〜４２ｄと、基準電位に対応する基準電位用接点４２ｅとを有する設定装置本体を複数用意する。前記各設定装置本体の基準電位用接点４２ｅといくつかのアドレス設定接点４２ａ〜４２ｄとを相互に電気的接続するための固有のパターンの配線部５４が形成されているアドレス設定用カード３４を複数用意する。端末装置２４に対してアドレス設定用カード３４を一つずつ割り当て、アドレス設定用カード３４の配線部５４と基準電位用接点４２ｅといくつかのアドレス設定接点４２ａ〜４２ｄとを接触させた状態で通信端末にアドレスを設定する。【選択図】  図２
2012160771.tif 000002
【特許請求の範囲】
【請求項１】
ネットワークに接続される複数の通信端末の各々に対して、固有のアドレスを設定するアドレス設定装置であって、
前記通信端末に設けられている複数のアドレス端子の各々に電気的接続される複数の第１接点と、基準電位に対応する第２接点とを有する複数の設定装置本体と、
前記各設定装置本体の前記第２接点といくつかの第１接点とを相互に電気的接続するための固有のパターンの接続部が形成されている複数の部材とを備え、
前記各通信端末に対して前記部材を一つずつ割り当て、当該部材の接続部を通じて前記第２接点といくつかの第１接点とを接触させた状態で通信端末にアドレスを設定するアドレス設定装置。
【請求項２】
ネットワークに接続される複数の通信端末の各々に対して、固有のアドレスを設定するアドレス設定装置であって、
前記通信端末に設けられている複数のアドレス端子の各々に電気的接続されているスイッチを有する複数の設定装置本体と、
前記各設定装置本体のいくつかのスイッチをオンするための固有のパターンの凹凸が形成されている複数の部材とを備え、
前記各通信端末に対して前記部材を一つずつ割り当て、当該部材の凹凸によっていくつかの前記スイッチをオンさせることによって通信端末にアドレスを設定するアドレス設定装置。
【請求項３】
請求項１又は２記載のアドレス設定装置を構成する複数の部材であって、
アドレスの設定に先立って前記設定装置本体に接続される複数の部材。
【請求項４】
ネットワークに接続される複数の通信端末の各々に対して、固有のアドレスを設定するアドレス設定方法であって、
前記通信端末に設けられている複数のアドレス端子の各々に電気的接続される複数の第１接点と、基準電位に対応する第２接点とを有する複数の設定装置本体に対して、
前記各設定装置本体の前記第２接点といくつかの第１接点とを相互に電気的接続するための固有のパターンの接続部が形成されている複数の部材のうち所望の部材を割り当て、
当該部材の接続部を通じて前記第２接点といくつかの第１接点とを接触させた状態で通信端末にアドレスを設定するアドレス設定方法。
【請求項５】
ネットワークに接続される複数の通信端末の各々に対して、固有のアドレスを設定するアドレス設定装置であって、
前記通信端末に設けられている複数のアドレス端子の各々に電気的接続されているスイッチを有する設定装置本体に対して、
前記設定装置本体のいくつかのスイッチをオンするための固有のパターンの凹凸が形成されている複数の部材のうち所望の部材を割り当て、
当該部材の凹凸によっていくつかの前記スイッチをオンさせることによって通信端末にアドレスを設定するアドレス設定方法。
【発明の詳細な説明】
【技術分野】
【０００１】
本発明は、アドレス設定装置に関し、特に、ネットワークに接続される複数の通信端末の各々に対して、固有のアドレスを設定するアドレス設定装置に関する。
【背景技術】
【０００２】
従来、ネットワークに接続される複数の通信端末の各々に対して固有にアドレスを設定するために、ディップスイッチが用いられていることが多い（特許文献１）。あるいは、ディップスイッチに代えて、ロータリースイッチを用いて、複数の通信端末の各々に対して固有にアドレスを設定することもある（特許文献２）。
【０００３】
【特許文献１】特開２００５−２９１７７２号公報
【特許文献２】特開２００１−３３９３９２号公報
【発明の概要】
【発明が解決しようとする課題】
【０００４】
しかし、ロータリースイッチは、アドレス設定の操作が容易であるが、高価であるという問題がある。一方、ディップスイッチは、安価であるが、アドレス設定時の操作が煩雑であるという問題がある。
【０００５】
また、いずれのスイッチも、アドレス設定時の操作の誤りにより、重複したアドレス設定の可能性が否定できない。そして、実際に、重複したアドレス設定をしてしまうと、重複しているかアドレスがいずれであるかを特定することが困難であった。
【０００６】
そこで、本発明は、アドレス設定の操作が容易で、安価であって、重複したアドレス設定の可能性が皆無なアドレス設定装置を提供することを課題とする。
【課題を解決するための手段】
【０００７】
上記課題を解決するために、本発明は、ネットワークに接続される複数の通信端末の各々に対して、固有のアドレスを設定するアドレス設定装置であって、
前記通信端末に設けられている複数のアドレス端子の各々に電気的接続される複数の第１接点と、基準電位に対応する第２接点とを有する複数の設定装置本体と、
前記各設定装置本体の前記第２接点といくつかの第１接点とを相互に電気的接続するための固有のパターンの接続部が形成されている複数の部材とを備え、
前記各通信端末に対して前記部材を一つずつ割り当て、当該部材の接続部を通じて前記第２接点といくつかの第１接点とを接触させた状態で通信端末にアドレスを設定する。
【０００８】
また、本発明は、ネットワークに接続される複数の通信端末の各々に対して、固有のアドレスを設定するアドレス設定装置であって、
前記通信端末に設けられている複数のアドレス端子の各々に電気的接続されているスイッチを有する複数の設定装置本体と、
前記各設定装置本体のいくつかのスイッチをオンするための固有のパターンの凹凸が形成されている複数の部材とを備え、
前記各通信端末に対して前記部材を一つずつ割り当て、当該部材の凹凸によっていくつかの前記スイッチをオンさせることによって通信端末にアドレスを設定する。
【０００９】
さらに、本発明は、上記アドレス設定装置を構成する複数の部材であって、
アドレスの設定に先立って前記設定装置本体に接続される。
【００１０】
さらにまた、本発明は、ネットワークに接続される複数の通信端末の各々に対して、固有のアドレスを設定するアドレス設定方法であって、
前記通信端末に設けられている複数のアドレス端子の各々に電気的接続される複数の第１接点と、基準電位に対応する第２接点とを有する複数の設定装置本体に対して、
前記各設定装置本体の前記第２接点といくつかの第１接点とを相互に電気的接続するための固有のパターンの接続部が形成されている複数の部材のうち所望の部材を割り当て、
当該部材の接続部を通じて前記第２接点といくつかの第１接点とを接触させた状態で通信端末にアドレスを設定する。
【００１１】
またさらに、本発明は、ネットワークに接続される複数の通信端末の各々に対して、固有のアドレスを設定するアドレス設定装置であって、
前記通信端末に設けられている複数のアドレス端子の各々に電気的接続されているスイッチを有する設定装置本体に対して、
前記設定装置本体のいくつかのスイッチをオンするための固有のパターンの凹凸が形成されている複数の部材のうち所望の部材を割り当て、
当該部材の凹凸によっていくつかの前記スイッチをオンさせることによって通信端末にアドレスを設定する。
【図面の簡単な説明】
【００１２】
【図１】本発明の実施形態に係る模式的な通信システムの構成図である。
【図２】端末装置２４の一部とアドレス設定用カード３４との関係を示す図である。
【図３】アドレス設定用カード３４〜３ｎの配線部５４の構成例を示す図である。
【図４】本発明の実施形態２に係るアドレス設定用カード３４〜３ｎの配線部５４の構成例を示す図である。
【図５】本発明の実施形態３に係るアドレス設定装置本体及びアドレス設定用カードの模式的な構成図である。
【図６】本発明の実施例１のアドレス設定用カードの模式的な外観図である。
【符号の説明】
【００１３】
１０  Ｉ／Ｏ制御用通信ネットワーク
２２  中央通信装置
２４〜２ｎ  端末装置
３４〜３ｎ  アドレス設定用カード
４０  スロット
４２ａ〜４２ｄ  アドレス設定接点
４２ｅ  基準電位用接点
４４  ガイド部
５２ａ〜５２ｅ  端子
５４  配線部
【発明の実施の形態】
【００１４】
以下、本発明の実施形態について図面を参照して説明する。
【００１５】
（実施形態１）
図１は、本発明の実施形態に係る模式的な通信システムの構成図である。図１には、いわゆるマルチドロップ式の通信システムを示している。この通信システムは、プログラマブルリレーコントローラ（ＰＬＣ）用ネットワークに代表される有線または無線のＩ／Ｏ制御用通信ネットワーク１０と、Ｉ／Ｏ制御用通信ネットワーク１０に対して接続されている中央通信装置２２と、中央通信装置２２に対して直列的に接続されていて固有のアドレスが設定される端末装置２４〜２ｎと、端末装置２４〜２ｎに対して固有にアドレスを設定するための一意に接続されるアドレス設定用カード３４〜３ｎとを備える。
【００１６】
図２は、端末装置２４の一部とアドレス設定用カード３４との関係を示す図である。図２に示すように、端末装置２４は、アドレス設定用カード３４が挿し込まれるスロット４０と、スロット４０内に設けられていて端末装置２４の通信制御を司るＩＣのアドレス設定端子（図示せず）と電気的に接続されている例えば４つのアドレス設定接点４２ａ〜４２ｄと、アドレス設定接点４２ａ〜４２ｄに隣接して設けられているグランドなどの基準電位用接点４２ｅと、各接点４２ａ〜４２ｅとアドレス設定用カード３４の端子５２ａ〜５２ｅとの位置ずれを防止するガイド部４４とを備える。なお、スロット４０と各接点４２ａ〜４２ｅとガイド部４４とを含む部分を、アドレス設定装置本体とも称する。
【００１７】
一方、アドレス設定用カード３４は、アドレス設定接点４２ａ〜４２ｄ及び基準電位用接点４２ｅに各々電気的接続される端子５２ａ〜５２ｅと、端子５２ｅと端子５２ａ〜５２ｄのいくつかとを相互にするための配線部５４とを備えている。なお、アドレス設定用カード３４の筐体には、他のアドレス設定用カード３５〜３ｎとの目視によって容易に区別ができるようにアドレス等の固有の番号（図示せず）が付されている。
【００１８】
図３（ａ）〜図３（ｄ）は、アドレス設定用カード３４〜３ｎの配線部５４の構成例を示す図である。図３（ａ）〜図３（ｄ）に示すように、アドレス設定用カード３４〜３ｎの配線部５４は、相互に異なるパターンとされている。
【００１９】
具体的には、例えば４台の端末装置２４〜２７に対して、固有のアドレス設定を行う場合には、
端末装置２４に「００００」というアドレス、
端末装置２５に「０００１」というアドレス、
端末装置２６に「００１０」というアドレス、
端末装置２７に「００１１」というアドレス、
というように、２進数で表現されたアドレス設定を行うことができる。
【００２０】
また、
アドレス番号のビット０が端子５２ａに対応し、
アドレス番号のビット１が端子５２ｂに対応し、
アドレス番号のビット２が端子５２ｃに対応し、
アドレス番号のビット３が端子５２ｄに対応する。
【００２１】
図３（ａ）に示す配線部５４は、端子５２ｅから端子５２ａ〜５２ｄの近傍まで延びているが、端子５２ａ〜５２ｅのいずれにも接続されていない。
【００２２】
図３（ｂ）に示す配線部５４は、端子５２ｅから端子５２ａ〜５２ｄの近傍まで延びていて、端子５２ａにのみ接続されている。
【００２３】
図３（ｃ）に示す配線部５４は、端子５２ｅから端子５２ａ〜５２ｄの近傍まで延びていて、端子５２ｂにのみ接続されている。
【００２４】
図３（ｄ）に示す配線部５４は、端子５２ｅから端子５２ａ〜５２ｄの近傍まで延びていて、端子５２ａ，５２ｂに接続されている。
【００２５】
このように配線部５４を形成することによって、端末装置２４〜２７に対して、固有のアドレス設定を行うことができ、しかも、アドレス設定用カード３４〜３ｎの各配線部５４は相互に固有のパターンとしているので、端末装置２４〜２７に重複したアドレスが設定される可能性は皆無となる。
【００２６】
端末装置２４〜２ｎのスロット４０に、アドレス設定用カード３４〜３ｎを一意に挿し込めば、通信端末２４〜２ｎの各々に固有のアドレスを設定することができる。
【００２７】
（実施形態２）
図４（ａ）〜図４（ｄ）は、本発明の実施形態２に係るアドレス設定用カード３４〜３ｎの配線部５４の構成例を示す図である。図４（ａ）〜図４（ｄ）は、図３（ａ）〜図３（ｄ）に対応する。
【００２８】
図３（ａ）〜図３（ｄ）に示した例の場合には、端子５２ａ〜５２ｅのすべてを設け、端子５２ａ〜５２ｄと端子５２ｅとを選択的に配線部５４によって電気的接続をしていた。これに対して、図４（ａ）〜図４（ｄ）に示す例の場合には、当該電気的接続に係る端子のみを形成している。
【００２９】
すなわち、
図４（ａ）の場合には、端子５２ａ〜５２ｅのいずれも形成しない。
【００３０】
図４（ｂ）の場合には、端子５２ａ及び端子５２ｅは形成するが、端子５２ｂ〜５２ｄは形成しない。
【００３１】
図４（ｃ）の場合には、端子５２ｂ及び端子５２ｅは形成するが、端子５２ａ，５２ｃ，５２ｄは形成しない。
【００３２】
図４（ｄ）の場合には、端子５２ａ，５２ｂ及び端子５２ｅは形成するが、端子５２ｃ，５２ｄは形成しない。
【００３３】
このようにアドレス設定用カード３４等を構成した場合であっても、実施形態１と同様に、端末装置２４〜２ｎのスロット４０に、アドレス設定用カード３４〜３ｎを一意に挿し込めば、通信端末２４〜２ｎの各々に固有のアドレスを設定することができる。
【００３４】
（実施形態３）
図５（ａ）〜図５（ｃ）は、本発明の実施形態３に係るアドレス設定装置本体及びアドレス設定用カードの模式的な構成図である。実施形態１，２では、端子５２ａ〜５２ｅと各接点４２ａ〜４２ｅとを選択的に電気的接触させる場合を説明した。本実施形態では、これらを選択的に物理的接触させる。
【００３５】
図５（ａ）の場合には、アドレス設定用カード３４に対して、接点４２ａ〜４２ｅに代えて、選択的にユニークなパターンの溝部５４を形成している。一方、スロット４０に対して、接点４２ａ〜４２ｅに代えて、溝部５４によりオン／オフが切り替わるスイッチ端子４２を設けている。
【００３６】
本実施形態の場合には、溝部５４は、４か所のいずれかに選択的に切り欠きが設けられている。一方、スロットには、当該４か所に対応する位置にスイッチ端子４２が設けられている。
【００３７】
ここで、実施形態１，２の場合には、基準電位用接点４２ｅとの電気的接続を通じて、接点４２ａ〜４２ｄを基準電位に設定していたが、本実施形態の場合には、オン／オフによってアドレスビットの正負論理を切り替えられるので、同じビット数のアドレスを実現する場合には、基準電位用接点４２ｅに相当する溝部５４の切り欠き及びスイッチ端子４２が不要となる点に留意されたい。
【００３８】
換言すると、相対的に多数の端末装置を備える通信システムの場合には、アドレス設定用カード３４の接点４２ａ等又は切り欠きの形成スペースを考慮すると、本実施形態の方が、アドレスビット数を稼げるため好ましいといえる。
【００３９】
なお、溝部５４及びスイッチ端子４２の位置は、図６（ａ）に示す場合に限定されず、図５（ｂ）に示すように、スロット４０の側面にスイッチ端子４２を設け、これに対応する位置に溝部５４を設けてもよい。
【００４０】
さらに、より多数の端末装置を備える通信システムの場合には、図５（ｃ）に示すように、アドレス設定用カード３４の表面及び裏面に溝部５４を形成し、かつ、スロット４０の表面及び裏面にスイッチ端子４２を形成すればよい。
【実施例】
【００４１】
（実施例１）
図６は、本発明の実施例１のアドレス設定用カードの模式的な外観図である。本実施例のアドレス設定用カード３４等は、カード本体に対して取手部分６０を備えている。取手部分６０のサイズは、縦の長さ５ｍｍ〜１０ｍｍ（例えば７ｍｍ）、横の長さ１５ｍｍ〜３０ｍｍ（例えば２０ｍｍ）、奥行き５ｍｍ〜１０ｍｍ（例えば７ｍｍ）程度とすればよい。取手部分６０には、既述の固有の番号を付してもよく、ここでは、当該番号としてアドレス「０００１」を付記している。なお、当該番号は、取手部分６０の上面ではなく、側面或いは裏面に付記するようにしてもよい。
【００４２】
一方、カード本体のサイズは、厚さは１．０ｍｍ〜２．０ｍｍ（例えば１．５ｍｍ）、幅１０ｍｍ〜２５ｍｍ（例えば１５ｍｍ）、長さ１０ｍｍ〜２０ｍｍ（例えば１５ｍｍ）とすることができる。
【００４３】
このようなサイズのアドレス設定用カードとすると、スロット４０に対して挿抜する際に取手部分６０を把持すればよいので、その操作性が向上する。
【００４４】
また、取手部分６０に固有の番号を付せば、アドレス設定用カードをスロット４０に差し込んだ場合でも、取手部分６０はスロット４０の外に位置することになるので、カード本体部分に番号を付すよりも、当該番号の視認性が向上する。
【００４５】
（実施例２）
つぎに、本発明の実施例２のアドレス設定用カードについて説明する。実施例１のアドレス設定用カードは、取手部分６０を備えているために、既述のようなメリットがあるが、場合によっては、アドレス設定用カードの厚みが増加することによるデメリットも考えられ得る。
【００４６】
そこで、アドレス設定用カードの厚みを増加させたくない場合には、取手部分６０に代えて、たとえば、カード本体の長さを増やし、カード本体の縁を摘むことでスロット４０に抜挿可能としてもよい。この場合、カード本体の上面に固有の番号を付せばよい。
【００４７】
（実施例３）
つぎに、本発明の実施例３のアドレス設定用カードについて説明する。アドレス設定装置本体は、汎用的なカードメモリ、例えば、ＳＤカード（登録商標）、コンパクトフラッシュ（登録商標）用のカードソケットと同一規格で構成することもできる。この場合、カード本体は、ＳＤカード（登録商標）、コンパクトフラッシュ（登録商標）と同一サイズのものとしてもよいし、実施例２のようなサイズのものとしてもよい。
【図１】
2012160771.tif 000003
【図２】
2012160771.tif 000004
【図３】
2012160771.tif 000005
【図４】
2012160771.tif 000006
【図５】
2012160771.tif 000007
【図６】
2012160771.tif 000008